(57)【要約】  【課題】  記録した放送コンテンツの選択を容易に行なえるようにする。  【解決手段】  放送搬送波をアンテナ１１で受信し、映像音声とＥＰＧデータとを分離する。分離後の映像音声はデジタルデータの録画データ１４１として記録装置１４に格納される。分離後のＥＰＧデータはＥＣＧデータ１４２として記録装置１４に格納される。インターネット２２からの番組編成情報（ＥＰＧ）は、ＥＰＧ提供ウェブサーバ２３から入手し、ＥＣＧデータ１４２として記録装置１４に格納される。また、放送局が提供する番組のメタデータも同様にインターネット２２経由で入手し記録装置１４へ格納される。録画されている番組と一致する番組のみを放送番組表の態様でＥＣＧとして表示する。ＥＣＧ表示を用いて、再生したい番組や削除したい番組や取り出したい番組を選択する。【選択図】  図１
2005311628.tif 000002
【特許請求の範囲】
【請求項１】
放送番組のコンテンツを記録するコンテンツ記憶手段と、
放送番組の番組編成情報を記憶する番組編成情報記憶手段と、
記録した放送番組のコンテンツを表示する駒を放送局の軸および時間軸に沿って表示する表示手段と、
表示された駒を利用して操作対象のコンテンツを指定する指定手段と、
指定されたコンテンツに対して操作を実行する実行手段とを有することを特徴とする放送番組記録再生システム。
【請求項２】
上記実行手段が実行する操作には、コンテンツの再生およびコンテンツの削除が含まれる請求項１記載の放送番組記録再生システム。
【請求項３】
上記実行手段が実行する操作には、コンテンツの取り出し保管が含まれる請求項１または２記載の放送番組記録再生システム。
【請求項４】
実際に記録されている放送番組を表示する駒のみ表示する請求項１、２または３記載の放送番組記録再生システム。
【請求項５】
実際に記録されている放送番組と記録されていない放送番組とを異なる表示態様で表示する請求項項１、２または３記載の放送番組記録再生システム。
【請求項６】
コンテンツ記憶手段が放送番組のコンテンツを記録するステップと、
番組編成情報記憶手段が放送番組の番組編成情報を記憶するステップと、
表示手段が、記録した放送番組のコンテンツを表示する駒を放送局の軸および時間軸に沿って表示するステップと、
指定手段が、表示された駒を利用して操作対象のコンテンツを指定するステップと、
実行手段が、指定されたコンテンツに対して操作を実行するステップとを有することを特徴とする放送番組記録再生方法。
【請求項７】
コンテンツ記憶手段が放送番組のコンテンツを記録するステップと、
番組編成情報記憶手段が放送番組の番組編成情報を記憶するステップと、
表示手段が、記録した放送番組のコンテンツを表示する駒を放送局の軸および時間軸に沿って表示するステップと、
指定手段が、表示された駒を利用して操作対象のコンテンツを指定するステップと、
実行手段が、指定されたコンテンツに対して操作を実行するステップとをコンピュータに実行させるために用いられることを特徴とする放送番組記録再生用コンピュータプログラム。
【発明の詳細な説明】
【技術分野】
【０００１】
この発明は、放送番組記録再生技術に関し、とくに、放送番組表の態様で録画した番組を提示できるようにしたものである。
【背景技術】
【０００２】
ハードディスク等のランダムアクセス型の記録装置を具備した先進的な放送番組録画再生システムが出現し、また記録装置の発達によりテレビ放送番組の録画容量が急激に増えてきている。かかる先進的な放送番組録画再生システムでは、録画した番組を選択しやすくするために、録画した番組に対応する番組名を録画番組に対応させ、番組名での一覧表示（コンテンツ表示）を行うことが知られている（例えば特許文献１）。
【０００３】
しかしながら、録画した番組名を基軸にした録画番組表示では、録画番組が増えるにつれてユーザにとってどのような番組を録画したかの把握が困難になり、再生番組の選択操作が煩雑になるという問題が生じてきた。
【０００４】
本発明者は、以上の状況下、鋭意研究を行い、ユーザが使い慣れている放送番組表の態様で録画した番組を提示することが、録画内容の選択に際し、放送日時、曜日、チャンネル等の既存情報を有効に利用できるため、極めてユーザの思考や習慣に合致して操作が容易であることを発見した。
【特許文献１】特開２００３−１８９２０７公報
【発明の開示】
【発明が解決しようとする課題】
【０００５】
この発明は、以上の事情を考慮してなされたものであり、録画番組数が膨大になっても容易に録画を選択できる放送番組録画再生システムを提供することを目的としている。
【課題を解決するための手段】
【０００６】
この発明の構成例の放送番組記録再生システムでは、放送もしくはネットワークより入手した番組編成情報を蓄積し、実際に録画した番組に合わせて表示、選択、再生、削除を行なう。番組編成情報は、放送電波に重畳されたデータもしくはインターネットにより提供されるデータ（ＥＰＧや放送局から提供されたメタデータ）を蓄積して利用する。番組は別途記録し、記録した番組が判別できるようにコンテンツ表（電子コンテンツガイド：ＥＣＧ）を表示する。当該表示から必要な番組を選択し、再生および削除を行うことができる。
【０００７】
蓄積した番組データと実際に録画した番組を対応させることにより上記機能を実現させる。
【０００８】
既に録画した番組ではなくなった（消去した）番組に対応する番組表データは録画、再生、番組表の蓄積時に削除することにより、番組表データの永久的な保存を避けることができる。
【０００９】
さらにこの発明を説明する。
【００１０】
この発明によれば、上述の目的を達成するために、放送番組記録再生システムに：放送番組のコンテンツを記録するコンテンツ記憶手段と；放送番組の番組編成情報を記憶する番組編成情報記憶手段と；記録した放送番組のコンテンツを表示する駒を放送局の軸および時間軸に沿って表示する表示手段と；表示された駒を利用して操作対象のコンテンツを指定する指定手段と；指定されたコンテンツに対して操作を実行する実行手段とを設けるようにしている。
【００１１】
この構成によれば、見慣れた放送番組表の態様で、過去に記録されたコンテンツを表示させて、選択再生、選択削除、選択取り出し（映像ファイル化）を行なうことができる。
【００１２】
放送番組は、テレビ放送番組またはラジオ放送番組を含む。放送番組は、映像音声放送の番組のみでなくデータ放送の番組も含む。
【００１３】
記録コンテンツの再生は、通常のＴＶセットで行なっても良いし、移動局（携帯電話機。ＰＨＳを含む）の再生機能を採用しても良い。
【００１４】
駒はそれぞれ独立して線要素により囲まれて表示されても良いし、縦、横の線により格子状に区分表示されても良い。
【００１５】
縦が時間軸で横がチャンネルであってもよいし、その逆でも良い。縦、横は正確な直角である必要はなく、傾斜したものでも良い。時間の目盛りは正確に一様である必要はなく、少なくとも同一のチャンネルに関して番組の順序を保持しているものであればよい。チャンネルの軸の目盛りに一様である必要はない。
【００１６】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１７】
この発明の上述の側面および他の側面は特許請求の範囲に記載され以下実施例を用いて詳述される。
【発明の効果】
【００１８】
この発明によれば、見慣れた放送番組表の態様で、過去に記録されたコンテンツを表示させて、例えば、選択再生、選択削除、選択取り出し（映像ファイル化）を行なうことができる。
【発明を実施するための最良の形態】
【００１９】
以下、この発明の実施例について説明する。
【００２０】
図１は、この発明の放送番組記録再生システムの構成を全体として示しており、この図において、この実施例の放送番組記録再生システムはチューナ１０、アンテナ１１、ＥＰＧ（電子番組ガイド）受信部１３、記録装置１４、再生制御部１５、ＴＶセット１６、ＥＣＧ（電子コンテンツガイド）生成部１７、ユーザＩ／Ｆ制御部１８、コンテンツ操作選択部１９、ＥＰＧ等取得部２０、通信制御部２１等を含んで構成されている。
【００２１】
チューナ１０はアンテナ１１で受信した放送搬送波を同調・復調して映像音声信号およびＥＰＧデータを取得し、映像音声信号を記録制御部１２の制御の下、記録装置１４に録画データ１４１として記録し、ＥＰＧデータをＥＰＧ受信部１３の制御の下、ＥＣＧデータ１４２としてにして記録する。この例では、チューナ１０は、対象とするすべてのチャンネル（編成チャンネル）を並行して同調・復調するようになっている。基本的には、チャンネル分のチューナカードを実装すれば良いが、これに限定されない。放送信号は、地上波アナログ放送信号、衛星アナログ放送信号、地上波デジタル放送信号、衛星デジタル放送信号のいずれでもよく、放送信号に応じた機器を具備する。
【００２２】
記録制御部１２は、同調・復調された映像音声信号を記録装置１４に録画データ１４１として記録するものである。記録装置１４は、典型的にはハードディスクから構成されるランダムアクセス可能な記録装置（ＤＡＳＤ：ダイレクト・アクセス・ストーリッジ・デバイスともいう）である。映像音声信号がアナログ信号の場合には記録制御部１２がＭＰＥＧ２符号化等の信号処理を行なって記録装置１４に記録する。
【００２３】
ＥＰＧ受信部１３は、ＥＰＧデータをチューナ１０から受け取って記録装置１４にＥＣＧデータ１４２として記録する。映像音声信号がアナログ信号の場合には、搬送波に例えばＶＢＩ（Ｖｅｒｔｉｃａｌ  Ｂｌａｎｋｉｎｇ  Ｉｎｔｅｒｖａｌ）方式により多重化されたＥＰＧデータを受信する。映像音声信号がデジタル信号の場合、チューナ１０またはＥＰＧ受信部１３等に含まれるＳＩ／ＰＳＩデコーダ（ＳＩ：サービス・インフォメーション、ＰＳＩ：プログラム・スペシフィック・インフォメーション）が編成情報（各局ＥＩＴや全局ＥＩＴ）を取得して、これをＥＣＧデータ１４２として記録装置１４に記録する。編成情報は簡略化すれば図２に示すようなものである（なお、図２のものでは、記録装置１４に記録されていない番組は省かれている）。なお、ＥＰＧデータ（番組編成情報）は、これから放送される放送番組に関する情報を表すものであり、放送が終了したものは保持しておく必要はないが、この実施例においては、記録装置１４に記録した録画データ１４１（場合によってはデータ放送の番組コンテンツを含む）を管理するために番組編成情報を用いるので、放送が完了したコンテンツに関する番組編成情報をも必要な範囲で保持しておく。
【００２４】
記録装置１４は、上述したとおりハードディスク等のＤＡＳＤであり、録画データ１４１（データ放送番組コンテンツを含むこともある）、ＥＣＦデータ１４２の他に、種々の管理データを記録する。この例では、保持番組データ１４３（保持している番組に関するデータ）も記憶する。保持番組データ１４３は、記録した番組（削除操作により削除したものを除く）を特定する情報であり、任意の形態で保持することができる。例えば、ＥＣＧデータ１４２の各番組エントリごとに記録フラグを立てても良い。番組を記録装置１４から削除したときにはフラグをリセットする。もちろん、記録した番組ごとに記録番組ＩＤを割り当てこれにＥＰＧの対応するエントリのデータを転記してもよい。削除されたときには記録番組のエントリごと削除しても良い。
【００２５】
再生制御部１５は、再生すべく選択された番組のコンテンツを記録装置１４から読み出して、必要な場合にはＭＰＥＧ２復号等の信号処理を行なってＴＶセット１６に映像音声信号（データ放送番組の信号でも良い）を供給する。ＴＶセット１６が、ＭＰＥＧ２復号等の信号処理を行なっても良い。なお、再生操作（再生指示）は、コンテンツ操作選択部１９により行なわれる。
【００２６】
ＥＣＧ生成部１７は、過去のＥＣＧデータ１４２および保持番組データ１４３からＥＣＧ表示を生成するものである。ユーザＩ／Ｆ制御部１８は、コンテンツ操作選択部１９の操作を受け取り、これに応じた処理を実行制御するものである。コンテンツ操作選択部１９は例えば、種々の操作を指示するリモコンであり、例えば、コンテンツ操作選択部１９からＥＣＧ表示が指示されると、ユーザＩ／Ｆ制御部１８はＥＣＧ生成部１７にＥＣＧ表示データの生成を要求する。ユーザＩ／Ｆ制御部１８は、ＥＣＧ表示データをＥＣＧ生成部１７から受け取るとこれを再生制御部１５に供給してＴＶセット１６の画面に表示させる。ＴＶセット１６の画面上に表示されるＥＣＧ表示は、例えば図３に示すように、まずカレンダ（過去の日にちを含む）が表示され、日にち（当日または過去）が選択されると、その日にちの番組編成情報が図２のＥＰＧ情報に準拠して表示される。この例では、図２のすべての番組を記録装置１４に記録したので、図２のすべての番組が、時間を縦軸、チャンネルを横軸にして、縦横に駒として配置されて表示される。各番組の駒は縦および横の線で囲まれている。もちろん種々の態様で駒を表示できる。
【００２７】
コンテンツ操作選択部１９により再生するコンテンツを選択する。コンテンツの選択は、コンテンツ操作選択部１９のカーソルボタン、確定ボタン（図示しない）等により選択できる。選択されたコンテンツは色属性やブリンク属性によりハイライトされる。例えば、図３では破線で示すコンテンツである「ザ・ＡＢＣ」が選択されてハイライトされている。この状態で、再生指示ボタン（図示しない）を操作すると、対応するコンテンツが記録装置１４から読み出され、ＴＶセット１６に再生される。
【００２８】
コンテンツ操作選択部１９によりコンテンツを選択して当該コンテンツを削除する場合も、同様にカーソルボタン、確定ボタン（図示しない）等により対象コンテンツを選択し、削除ボタン（図示しない）を操作して当該コンテンツを記録装置１４から削除する。なお、削除対象コンテンツは複数選択できる。また即除したコンテンツを補助記録装置（図示しない）または記録装置１４に削除コンテンツとして所定期間記録するようにしても良い。
【００２９】
ＥＰＧ等取得部２０は、通信制御部２１およびインターネット２２を介してＥＰＧ提供ウェブサーバ２３や放送局ウェブサーバ２４からＥＰＧや番組案内のウェブページのメタデータを取得してこれをＥＣＧデータとして記録装置１４に記録する。放送信号からＥＰＧ情報を取得できない場合に、ＥＰＧ等取得部２０を利用するが、放送信号からＥＰＧ情報を取得できる場合でもこれを主たる情報源と使用しても良いことはもちろんである。
【００３０】
この実施例の動作の概略はつぎのとおりである。
【００３１】
［データ蓄積］
まず、放送搬送波をアンテナ１１で受信し、映像音声とＥＰＧデータとを分離する。分離後の映像音声はデジタルデータの録画データ１４１として記録装置１４に格納される。分離後のＥＰＧデータはＥＣＧデータ１４２として記録装置１４に格納される。インターネット２２からの番組編成情報（ＥＰＧ）は、ＥＰＧ提供ウェブサーバ２３から入手し、ＥＣＧデータ１４２として記録装置１４に格納される。また、放送局が提供する番組のメタデータも同様にインターネット２２経由で入手し記録装置１４へ格納される。この時は、放送による番組の映像音声の記録と、放送によるＥＰＧデータの記憶と、インターネット経由でのＥＰＧの記録およびメタデータの記憶は一切の連携は無く、個々の入手タイミングで格納することとなる。また、これらソースの異なるデータを別個に記憶管理し、これをＥＣＧデータとして適宜に統合しても良い。
【００３２】
［ＥＣＧ表示］
録画されている番組と一致する番組のみをＥＣＧとして表示する。図２に示す番組が記録されているとすると、ＥＣＧ表示は図３に示すようになる。録画されている部分の番組が明確に判別できるように表示される。
【００３３】
［過去番組の再生］
図３に示すようなＥＣＧ表示を用いて、再生したい番組を選択する。番組の選択は、キーボードのカーソルキーなどで行うことができる。選択した部分が容易に判別できるように表示を行う。「ザ・ＡＢＣ」を選択した場合、選択番組が容易に判断できるように例えば番組名の背景色が変化する（図では便宜上破線で囲んで示す）。選択した番組を決定することで、過去に録画されている番組を再生することができる。
【００３４】
［過去番組の削除］
図３に示すようなＥＣＧ表示にて削除したい番組を選択する。番組の選択は、同様にキーボードのカーソルキーなどで行うことができる。この場合も選択した部分が容易に判別できるように表示を行う。「ザ・ＡＢＣ」を選択した場合、上記のように選択番組が容易に判断できるように例えば番組名の背景色が変化する（図では便宜上破線で囲んで示す）。選択した番組を決定することで、過去に録画されている番組を削除することができる。削除後、ＥＣＧ表示を行なうと、既に「ザ・ＡＢＣ」は録画番組から削除されているため、図４に示すように、表示は未録画の状態として表示される。図４に示すようなものとなり、削除したコンテンツが表示されなくなる。
【００３５】
なお、この発明は上述の実施例に限定されるものではなくその趣旨を逸脱しない範囲で種々変更が可能である。例えば、上述の例では単一のＴＶセット１６に記録装置１４を１つ割り当てたが、複数のＴＶセット１６に１つの記録装置１４を割り当てても良い。ＴＶセット１６と記録装置１４とは相互に近傍に配置したが、有線または無線のネットワークを介して接続しても良い。記録装置１４側に基地局を設けＴＶセット１６側を異同局としても良い。ＴＶセット１６のサイトにはコンテンツ操作選択部１９やユーザＩ／Ｆ制御部１８が適宜に配置され、また一体に構成される。移動局がＴＶセットを含む場合にはコンテンツ操作選択部１９やユーザＩ／Ｆ制御部１８も移動局に含ませることが好ましい。
【００３６】
上述ではコンテンツ操作選択部１９の例としてリモコンの構成を説明したが、ＴＶセット１６に含まれていても良い。
【００３７】
上述の例では、１または複数の放送システムに対して１の記録再生システムを用いたが、放送システムごとに記録再生システムを用いてユーザがこれらを複合的に再生利用できるようにしても良い。
【００３８】
また上述の説明では記録番組（録画番組）の選択についてとくに説明を行なわなかったが、周知の録画システムの構成を採用できる。また、カバーする編成チャンネルのすべての記録しても良い。また一旦すべて記録した後、記録指定されていない番組を事後的に削除しても良い。この場合削除した番組を削除コンテンツとして一時的に退避記録しておいてもよい。
【図面の簡単な説明】
【００３９】
【図１】この発明の実施例の構成を全体として示す図である。
【図２】上述実施例において記録した番組の番組編成情報を説明する図である。
【図３】上述実施例におけるＥＣＧ表示の例を説明する図である。
【図４】上述実施例において一部のコンテンツを削除した後のＥＣＧ表示の例を説明する図である。
【符号の説明】
【００４０】
１０      チューナ
１１      アンテナ
１２      記録制御部
１３      ＥＰＧ受信部
１４      記録装置
１５      再生制御部
１６      ＴＶセット
１７      ＥＣＧ生成部
１８      ユーザＩ／Ｆ制御部
１９      コンテンツ操作選択部
２０      ＥＰＧ等取得部
２１      通信制御部
２２      インターネット
２３      ＥＰＧ提供ウェブサーバ
２４      放送局ウェブサーバ
１４１      録画データ
１４２      ＥＣＧデータ
１４３      保持番組データ
【図１】
2005311628.tif 000003
【図２】
2005311628.tif 000004
【図３】
2005311628.tif 000005
【図４】
2005311628.tif 000006